(57)【要約】【課題】専用機を必要とすることなく、カセットメモリを使用して編集点を良好に記憶し、編集スタジオにおける編集を効率的に行うことができるようにすることを目的とする。【解決手段】カセットメモリ２を有するビデオテープカセット１のビデオテープ１６を再生しているときにカットのイン点でマークボタン２１ａを操作した時、このイン点の絶対トラック番号及びタイムコードを記憶すると共にこのカットのアウト点でマークボタン２１ａを操作した時、このアウト点のタイムコードを記憶し、その後このイン点及びアウト点のタイムコードの文字列を生成し、この文字列のタイムコードをこのカセットメモリ２にこのイン点の絶対トラック番号に対応して書き込むようにしたものである。【選択図】        図１
2004193672.tif 000002
【特許請求の範囲】
【請求項１】
カセットメモリを有するビデオテープカセットのビデオテープを再生しているときにカットのイン点でマークボタンを操作した時、このイン点の絶対トラック番号及びタイムコードを記憶すると共にこのカットのアウト点でマークボタンを操作した時、このアウト点のタイムコードを記憶し、その後前記イン点及びアウト点のタイムコードの文字列を生成し、前記文字列のタイムコードを前記カセットメモリに前記イン点の絶対トラック番号に対応して書き込むようにしたことを特徴とするビデオテープカセットのビデオテープの編集点記憶方法。
【請求項２】
請求項１記載のビデオテープカセットのビデオテープの編集点記憶方法において、
前記イン点後アウト点までの間前記イン点のタイムコードを表示するようにしたことを特徴とするビデオテープカセットのビデオテープの編集点記憶方法。
【発明の詳細な説明】
【０００１】
【発明の属する技術分野】
本発明はカセットメモリを有するビデオテープカセットのビデオテープを編集するときに使用されるイン点及びアウト点をこのカセットメモリに記憶するようにしたビデオテープカセットのビデオテープの編集点記憶方法に関する。
【０００２】
【従来の技術】
一般にビデオ撮影現場と、撮影してきたビデオテープカセットのビデオテープを編集する編集スタジオとは、ロケ等では離れている場合が多い。
【０００３】
このビデオテープカセットのビデオテープの編集を編集スタジオでの作業時間を短縮するために移動時間を利用して予め撮影したビデオテープカセットのビデオテープの中で使用できそうな部分をピックアップしておくことが行なわれている。この場合従来はこの撮影したビデオテープカセットのビデオテープを再生しながら、ノート等に手書きでメモすることで対応していた。
【０００４】
編集スタジオでは、このノート等のメモのタイムコードを元に、ＥＤＬ（エディットデシジョンリスト、これはビデオテープの編集点のイン点、アウト点等をリスト形式にしたファイルフォーマットである。）を作成したり、編集機を使って、このノート等にメモした内容を参考に所望場面を探すという作業を行っていた。
【０００５】
一方、例えばＤＶ／ＤＶＣＡＭビデオテープカセット等の図１５に示す如きビデオテープカセット１にはビデオテープ１６の外にカセットメモリ２と称するメモリが装備されている。この図１５に示すビデオテープカセット１において、２ａは金メッキ等が施されたコンタクトであり、このコンタクト２ａを使用して、このカセットメモリ２とビデオテープレコーダ等との通信を行う如くなされている。
【０００６】
一般にこのカセットメモリ２は民生用のビデオテープカセットでは４Ｋビットの記憶容量、業務用のビデオテープカセットでは１６Ｋビットの記憶容量のものが市販されている。このカセットメモリ２には、一般にインデックス（記録開始点）、タイトル、カセットラベル（カセットの名前）等を記録保存することができるようになっている。
【０００７】
ところで従来専用の構成を設けたビデオテープレコーダでこのビデオテープカセットのカセットメモリにマークイン点、マークアウト点、ＯＫ／ＮＧ、テイク番号、キュー点を指示する情報とシーン番号の情報とを記録するようにしたものが知られている（特許文献１）。
【０００８】
【特許文献１】
特開平１０−１７４０４０号公報
【０００９】
【発明が解決しようとする課題】
然しながら、従来の如く編集スタジオでノート等のメモを元にＥＤＬ（エディットデシジョンリスト）を作成したり、編集機を使って、このメモした内容を参考に場面を探すようにしたときには、それだけ手間がかかると共にこのメモをなくしたときには上述作業ができなくなる不都合があった。
【００１０】
また、特許文献１の如く専用の構成で、このビデオテープカセットのカセットメモリにマークイン点、マークアウト点を記録するのに専用機が必要となる不都合があった。
【００１１】
本発明は、斯る点に鑑み、専用機を必要とすることなく、このカセットメモリを使用して編集点を良好に記憶し、編集スタジオにおける編集を効率的に行うことができるようにすることを目的とする。
【００１２】
【課題を解決するための手段】
本発明ビデオテープカセットのビデオテープの編集点記憶方法は、カセットメモリを有するビデオテープカセットのビデオテープを再生しているときにカットのイン点でマークボタンを操作した時、このイン点の絶対トラック番号及びタイムコードを記憶すると共にこのカットのアウト点でマークボタンを操作した時、このアウト点のタイムコードを記憶し、その後このイン点及びアウト点のタイムコードの文字列を生成し、この文字列のタイムコードをこのカセットメモリにこのイン点の絶対トラック番号に対応して書き込むようにしたものである。
【００１３】
斯る本発明によれば、カセットメモリにイン点の絶対トラック番号に対応してカットのイン点及びアウト点のタイムコードの文字列をタイトルと同様に書き込み記憶したので、このビデオテープのカットのイン点をサーチすることができると共に通常再生時でも、このイン点を通過するときには、このイン点及びアウト点のタイムコードの文字列が自動的に動画にスーパーインポーズ表示され良好に知ることができる。
【００１４】
また本発明はビデオテープカセットのカセットメモリに電子データとして記憶するので、このイン点及びアウト点のメモをなくすことがないと共にこのイン点及びアウト点の電子データをノンリニア編集やリニア編集のためのＥＤＬ（エディットデシジョンリスト）形式に変換でき、編集のデータとして使用でき効率の良い編集ができる。
【００１５】
【発明の実施の形態】
以下図面を参照して本発明ビデオテープカセットのビデオテープの編集点記憶方法の実施の形態の例につき説明する。
【００１６】
図３は、例えばカメラ一体形ビデオテープレコーダのビデオテープレコーダ部を示し、この図３のビデオテープレコーダはデジタル構成の例を示す。
【００１７】
この図３において、１０はビデオカメラ（図示せず）が撮影した映像信号が供給される映像信号入力端子を示し、ビデオカメラで撮影時にこの映像信号入力端子１０に撮影した映像信号が供給され、この映像信号をアナログ−デジタル（以下Ａ／Ｄと記す。）変換するＡ／Ｄ変換器１１を介して映像信号圧縮符号化・復号化部１２に供給し、この映像信号圧縮符号化・復号化部１２で、このＡ／Ｄ変換器１１よりの映像信号を圧縮符号化して、エラー訂正処理部１３に供給する。
【００１８】
この映像信号圧縮符号化・復号化部１２は離散コサイン変換（以下、ＤＣＴと記す。）を用いて圧縮符号化処理を行う如くする。
【００１９】
また、エラー訂正処理部１３ではこの圧縮符号化された信号に対してエラー訂正コードの付加を行いチャネルコーティング部１４に供給する。このチャネルコーティング部１４ではエラー訂正処理部１３でエラー訂正コードが付加された信号にしてビデオテープに記録するのに適した符号化処理を行い、ビデオヘッド１５でビデオテープカセット１のビデオテープ１６に記録する如くする。
【００２０】
この場合、このビデオテープ１６には周知の如く記録されたトラックの絶対トラック番号及びタイムコードが記録されている。
【００２１】
また、このビデオテープカセット１のビデオテープ１６を再生するときは、ビデオヘッド１５で再生した再生映像信号をチャネルコーティング部１４を介してエラー訂正処理部１３に供給する。このチャネルコーティング部１４はビデオテープ１６から再生した映像信号を符号化処理に対応する復号化処理を行い、エラー訂正処理部１３に供給する。
【００２２】
このエラー訂正処理部１３においては、チャネルコーティング部１４よりの映像信号にエラー訂正処理を行い、映像信号圧縮符号化・復号化部１２に供給する。この映像信号圧縮符号化・復号化部１２においてはビデオテープ１６から再生した信号を復号化し、この復号化された映像信号をデジタル−アナログ（以下、Ｄ／Ａと記す。）変換するＤ／Ａ変換器１７に供給する。
【００２３】
このＤ／Ａ変換器１７の出力側に得られる映像信号を例えば液晶表示装置より成るディスプレイ装置１８に供給する如くする。このＤ／Ａ変換器１７の出力側に得られる映像信号を外部の表示装置に供給するようにしてもよい。
【００２４】
また、このビデオテープレコーダには、ビデオテープカセット１のローディングやビデオヘッド１５が取り付けられた回転ドラムの駆動等を行う機構部２０と、使用者が各種の操作を行うためのマークボタン２１ａを含む操作部２１と、ビデオテープカセット１におけるカセットメモリ２に接続された端子２ａとの接続のための端子２２と、この映像信号圧縮符号化・復号化部１２、エラー訂正処理部１３、チャネルコーティング部１４、機構部２０、ディスプレイ装置１８、操作部２１及び端子２２に接続されたマイクロコンピュータより成るコントローラ２３とを備えている。
【００２５】
また、本例におけるビデオテープレコーダにおいては、従来周知の如く、このビデオテープカセット１のカセットメモリ２にインデックス（記録開始点）、タイトル、カセットラベル（カセットの名前）等を記憶保存することができる如く構成されている。
【００２６】
次に例えば移動中に予め撮影したビデオテープ１６の中で使えそうな部分（カット）をピックアップしてメモする方法即ち本例によるこのビデオテープカセット１のビデオテープ１６の編集点即ちカットのイン点及びアウト点を記憶する方法につき図１のフローチャート及び図２に示す如きディスプレイ装置１８の画面１８ａを参照して説明する。
【００２７】
まず、撮影した映像信号がビデオテープ１６に記録されているビデオテープカセット１を図３に示す如きビデオテープレコーダに装填し再生状態とする。この場合、ディスプレイ装置１８の画面１８ａには図２Ａに示す如く撮影した映像の外に第１番目の編集点であることを示す「ＮＯ０１」と、カットのイン点が記憶されていないことを示す「ＩＮ−：−：−：−」と、カットのアウト点が記憶されていないことを示す「ＯＵＴ−：−：−：−」とが表示される。
【００２８】
このイン点「ＩＮ−：−：−：−」及びアウト点「ＯＵＴ−：−：−：−」は夫々タイムコード「時間：分：秒：フレーム数」により表示するようにしたもので、図２Ａはイン点、アウト点が決定していない状態を示す。
【００２９】
本例においては、マイクロコンピュータよりなるコントローラ２３はマークボタン２１ａが押されたかどうかを監視しており（ステップＳ１）、この再生中の映像で使えそうな部分（カット）があったときはユーザはこのマークボタン２１ａを押す如くする。このときは、この押された位置のビデオテープ１６の絶対トラック番号Ｔ１及びタイムコード例えば「００：０９：２２：１２」を例えばワークＲＡＭに記憶する（ステップＳ２）。
【００３０】
このときは、図２Ｂに示す如く、ディスプレイ装置１８の画面１８ａの表示の撮影した映像の外の表示のイン点を記憶したことを示す表示「ＩＮ００：０９：２２：１２」に変更し、その他は図２Ａと同様とする。
【００３１】
次に、更にマークボタン２１ａが押されたかどうかを監視する（ステップＳ３）。次にマークボタン２１ａが押されるカットのアウト点までの間、ディスプレイ装置１８の画面１８ａは図２Ｂに示すと同様で、この第１番目の編集点を示す「ＮＯ０１」とカットのイン点の表示「ＩＮ００：０９：２２：１２」がなされる。
【００３２】
次にカットのアウト点が見つかり、マークボタン２１ａが押されたときは、この押された位置のビデオテープ１６のタイムコード例えば「００：１０：１１：０２」を例えばワークＲＡＭに記憶する（ステップＳ４）。このときのディスプレイ装置１８の画面１８ａの表示は図２Ｃに示す如く、撮影された映像の外に第１番目の編集点を示す「ＮＯ０１」、カットのイン点が記憶されたことを示す「ＩＮ００：０９：２２：１２」、カットのアウト点が記憶されたことを示す「ＯＵＴ００：１０：１１：０２」が表示される。
【００３３】
次に本例ではこのイン点及びアウト点のタイムコードの値を使って、「ｈｈｍｍｓｓｆｆ−ｈｈｍｍｓｓｆｆ」の形式即ち「０００９２２１２−００１０１１０２」の文字列を生成する（ステップＳ５）。
【００３４】
その後、この生成した文字列をこのビデオテープカセット１のカセットメモリ２にイン点の絶対トラック番号Ｔ１に対応してタイトルとして記憶保存する如くする（ステップＳ６）。その後ステップＳ１に戻る。この生成されたタイムコードの文字列をビデオテープカセット１のカセットメモリ２にイン点の絶対トラック番号Ｔ１に対応して記憶保存したときは、このディスプレイ装置１８の画面１８ａの表示は図２Ｄに示す如く、撮影した映像の外に第２番目の編集点であることを示す「ＮＯ０２」と、カットのイン点が記憶されていないことを示す「ＩＮ−：−：−：−」と、カットのアウト点が記憶されていないことを示す「ＯＵＴ−：−：−：−」とが表示される。
【００３５】
本例においては、上述を繰り返す如くする。尚上述例においてはイン点及びアウト点の表示を「ｈｈｍｍｓｓｆｆ−ｈｈｍｍｓｓｆｆ」の「数字８個」「ハイフン」「数字８個」という組合せとしたが、一般のタイトルと区別するため、頭に記号や空白を付加する「！ｈｈｍｍｓｓｆｆ−ｈｈｍｍｓｓｆｆ」等、お尻に記号や空白を付加する「ｈｈｍｍｓｓｆｆ−ｈｈｍｍｓｓｆｆ！」等、区切りのハイフンを、別の記号や空白にする「ｈｈｍｍｓｓｆｆ・ｈｈｍｍｓｓｆｆ」等、上述の例を、複数組み合わせて、例えば「！ｈｈｍｍｓｓｆｆ・ｈｈｍｍｓｓｆｆ！」としてもよい。
【００３６】
この場合、記号類の「！」「？」「、」「−」「＆」「，」「／」等は、通常は文章の始まりには配置しないため一般のタイトルと区別するために先頭に配置することで判別することは比較的有効である。
【００３７】
本例は上述の如く、ビデオテープカセット１のカセットメモリ２にイン点の絶対トラック番号に対応してカットのイン点及びアウト点のタイムコードの文字列例えば「００１７２６１５−００１８０１１４」をタイトルと同様に書き込み記憶したので、このビデオテープカセット１のビデオテープ１６のカットのイン点及びアウト点をサーチすることができる。
【００３８】
即ち、このビデオテープ１６のカットのイン点及びアウト点をサーチするときは周知のタイトルをサーチするときと同様に、例えば操作部２１のサーチ選択ボタンを操作して、タイトルサーチ（イン点、アウト点サーチ）を選ぶ如くする。このときはディスプレイ装置１８の画面１８ａに図４に示す如く、カットのイン点及びアウト点の文字列のタイムコードより成るカットのタイトルの一覧表が表示され、上下選択ボタンを操作して選択したいカットの文字列のタイムコードを選ぶ、例えば「００１７２６１５−００１８０１１４」を選んだときは、この目的とするカットのイン点の場面をサーチすると、図５に示す如く自動的に再生が始まる。
【００３９】
このときは図５に示す如く、このイン点から所定時間例えば５秒間、このイン点及びアウト点の文字列より成るタイムコードのタイトルが表示される。なお、サーチを行わない通常再生時でもこのイン点を通過するときはこのイン点及びアウト点の文字列のタイムコードのタイトルが自動的に図５に示す如く動画にスーパーインポーズされ例えば５秒間良好に表示される。
【００４０】
またこの既にカセットメモリ２に記憶した編集点であるイン点及びアウト点を削除するときは、例えばメニューの項目で「タイトル消去」を選ぶ、このときはディスプレイ装置１８の画面１８ａに図６に示す如きカットのイン点及びアウト点の文字列のタイムコードより成るカットのタイトルの一覧表が表示され、上下選択ボタンを操作して削除したいカットの文字列のタイムコード例えば「００２２０９０９−００２３１０１６」を選び、決定ボタンを操作して削除を終了する。
【００４１】
また、本例はビデオテープカセット１のカセットメモリ２に電子データとして、この編集点のイン点及びアウト点のメモを記憶保存するので、この編集のイン点及びアウト点のメモをなくすことがない。
【００４２】
更に本例によれば、このビデオテープカセット１のビデオテープ１６の編集のイン点及びアウト点を電子データとしてカセットメモリ２に記憶保存するので、この電子データをノンリニア編集やリニア編集のためのＥＤＬ（エディットデシジョンリスト）形式に変換でき、編集のデータとして使用でき効率の良い編集ができる。
【００４３】
次に本例を用いたノンリニア編集の場合につき図７〜図９を参照して説明する。図７はノンリニア編集機を使用して編集する手順を示す。ノンリニア編集の場合、先ずビデオカメラで撮影を行う（ステップＳ１０）。
【００４４】
次に、撮影現場から編集スタジオに戻る車中、撮影したビデオテープカセット１のビデオテープ１６を再生しながら、使用する予定のカットのイン点及びアウト点を本例の図１のフローチャートの手順でカセットメモリ２に記憶保存する（ステップＳ１１）。
【００４５】
次に編集スタジオに戻り、図８に示す如くこのビデオテープカセット１をビデオデッキ３０に装着し、ノンリニア編集機を構成するパーソナルコンピュータ３１側から、このビデオテープカセット１のカセットメモリ２に記憶保存した編集点のイン点及びアウト点を読み出す如くする（ステップＳ１２）。
【００４６】
この場合、このビデオデッキ３０とパーソナルコンピュータ３１とをＩＥＥＥ１３９４（ＤＶ端子，ｉ．ＬＩＮＫケーブル）にて接続し、ＩＥＥＥ１３９４経由でビデオテープカセット１のカセットメモリ２の内容を読み取り、記憶保存されていたイン点及びアウト点のタイムコードを読み取る。
【００４７】
その後、このノンリニア編集機を構成するパーソナルコンピュータ３１のコンピュータモニタ３１ａの操作画面で読み出したカットのイン点及びアウト点に相当する部分をハードディスクのキャプチャに転送し、編集を行う。
【００４８】
この場合、ノンリニア編集機を構成するパーソナルコンピュータ３１のノンリニア編集ソフトウェアで、ビデオテープカット１のカセットメモリ２の読み取り機能を呼び出し、このカットのイン点及びアウト点を読み込む。タイトルは数字の羅列であるが、ここでは、時、分、秒、フレームの桁の間に図９に示す如く、コロン「：」を入れて見やすく表示している。
【００４９】
このイン点及びアウト点を全て取り込んだ後、ユーザによりどのカットをハードディスクにキャプチャ（転送）するかを指定してもらい、実行する。
場合によっては、このキャプチャの前にイン点及びアウト点の情報を元に編集ポイントの画像サムネールをテープサーチしながら取り込むようにしても良い。
【００５０】
次に本例を用いたリニア編集の場合につき図１０〜図１３を参照して説明する図１０はリニア編集機を使用して編集する手順を示す。リニア編集の場合先ず、ビデオカメラで撮影を行う（ステップＳ２０）。
【００５１】
次に撮影現場から編集スタジオに戻る車中、撮影したビデオテープカセット１のビデオテープ１６を再生しながら、使用する予定のカットのイン点及びアウト点を本例の図１のフローチャートの手順でカセットメモリ２に記憶保存する（ステップＳ２１）。
【００５２】
次に編集スタジオに戻り、図１１に示す如く、このビデオテープカセット１をビデオデッキ３０に装着し、パーソナルコンピュータ３２でビデオテープカセット１のカセットメモリ２に記憶保存した編集点のイン点及びアウト点を読み出し、これを元に図１２に示す如きＥＤＬ（エディットデシジョンリスト）の形式に変換する（ステップＳ２２）。このＥＤＬの形式に変換した編集点のイン点及びアウト点のＥＤＬをフロッピーディスク３３に書き込む如くする。
【００５３】
この場合、このビデオデッキ３０とパーソナルコンピュータ３２とをＩＥＥＥ１３９４（ＤＶ端子，ｉ．ＬＩＮＫケーブル）にて接続し、ＩＥＥＥ１３９４経由でビデオテープカセット１のカセットメモリ２の内容を読み取り、記憶保存していたイン点及びアウト点のタイムコードを読み取る。
【００５４】
その後、図１３に示す如く、フロッピーディスク３３のデータをリニア編集機３４に読み込ませ、このリニア編集機３４において、このフロッピーディスク３３よりのデータに基いて編集を行う（ステップＳ２３）。
この場合プレーヤビデオテープレコーダ３５及びレコーダビデオテープレコーダ３６を夫々ＲＳ２３２Ｃを介してリニア編集機３４に接続して、このリニア編集機３４でプレーヤビデオテープレコーダ３５及びレコーダビデオテープレコーダ３６を夫々制御すると共にプレーヤビデオテープレコーダ３５で再生した映像信号及び音声信号をレコーダビデオテープレコーダ３６に供給して記録し編集する如くする。
【００５５】
上述、ノンリニア編集及びリニア編集の作業は編集のイン点及びアウト点の電子データを編集のデータとして使用でき効率の良い編集ができるので、編集の作業時間が大幅に短縮できる。
【００５６】
また、本例では対応していないが、このカセットメモリ２に記憶保存されたタイムコードの文字列の情報からビデオデッキ等でも、アウト点の頭出しを行う機能を設けることもできる。タイトルは、打ち込まれた位置の絶対トラック番号の情報とタイトルそのものしかカセットメモリ２に記憶保存していないため、通常の操作ではイン点しかサーチすることはできない。本例では、タイトル文字列にタイムコード情報が書かれているためアウト点のサーチも可能になる。
【００５７】
本例においては、ビデオテープカセット１のカセットメモリ２にイン点及びアウト点を記憶保存しているため、一部のビデオデッキに搭載されている「デュプリケート」機能により全く同じビデオテープカセットを簡単に複製することができる。ここで「デュプリケート」機能とは２台のビデオデッキをＩＥＥＥ１３９４ケーブルで接続し、一台がプレーヤ、もう一台がレコーダとなり、ビデオテープ上の映像信号、音声信号、タイムコード情報とともに、このカセットメモリ２の内容までもまるまる複製する機能である。
【００５８】
また編集データ（イン点、アウト点）がビデオテープカセット１以外の別媒体（例えばフロッピーディスク）に記憶保存されている場合は、そちらも個別に複製する必要があるが、本例ではビデオテープカセット１のカセットメモリ２にこの編集データを記憶保存するので、その手間が不要である。
【００５９】
また、本例のカセットメモリ２は、パーソナルコンピュータ等からＩＥＥＥ１３９４を経由してアクセスできるため、パーソナルコンピュータ側で作成した本編集（実際に編集した結果）のイン点及びアウト点のデータを本例でカセットメモリ２に記憶することもできる。こうして転送したデータは、上述のデュプリケート機能を用いて、他のビデオテープカセットに複製することもできる。
【００６０】
このようにして映像信号、音声信号、オリジナルなタイムコードとともに編集に用いるためのイン点及びアウト点までも複製することができる。この複製されたビデオテープカセット１を他の編集環境に運搬しても、オリジナルと同じ本編集を再現できる。
【００６１】
従来は、このような編集点は、素材ビデオテープと本編集データが格納されたフロッピーディスクなどを組み合わせて運用していたが、本例によりビデオテープカセットだけで全てを管理することができる。
【００６２】
尚上述例は単純なイン点及びアウト点のデータのみをこのカセットメモリ２に記憶保存したが、このイン点とアウト点を分けて記憶しアウト点の絶対トラック番号を記憶保存するようにしてもよい。この場合アウト点も簡単にサーチできる。
【００６３】
またこのカセットメモリ２にタイムコードの桁区切りのコロン「：」も記憶保存するようにしてもよいし、本編集のＥＤＬそのものを記憶保存するようにしてもよい。
【００６４】
この本編集のＥＤＬは、多少の制御コードが含まれている以外は、本文はアスキー文字（テキストフォーマット）で記憶保存されているので本例の如くタイトル機能の延長で書き込むことができる。
【００６５】
更に本例においては、パーソナルコンピュータ３１に取り込んだイン点及びアウト点のデータを用いてビデオテープ１６上の位置をサーチし、順次図１４に示す如きサムネール画像（縮小画像）を取り込んでいくようにしてもよい。
【００６６】
本例ではイン点とアウト点とは、カセットメモリ２に記憶保存されていた値を文字列のタイムコード形式に整形して表示し、同時にイン点の絶対トラック番号もこのカセットメモリ２から読み出している。ユーザの指示によりサムネールの取得が開始されると、同時に取り込まれた絶対トラック番号の順に効率よく静止画を取り込んでいくようにしている。サムネールの取り込みは、ビデオテープをサーチしながらになるため、比較的時間のかかる処理となってしまう。その際に、絶対トラック番号を頼りに絶対トラック番号の順に取り込んでいけば、テープ位置を戻したり進めたりの行き来がなくなり、一方向にサーチするだけでよいため、より短時間での読み込みが可能となる。
【００６７】
このようにして取り込んだサムネールを頼りに、例えばノンリニア編集においては、必要なカットを指定し、ハードディスクにデータ（映像信号、音声信号）をキャプチャする処理に進めることが考えられる。
【００６８】
また本発明は上述例に限ることなく本発明の要旨を逸脱することなくその他種々の構成が採り得ることは勿論である。
【００６９】
【発明の効果】
本発明によればビデオテープカセットのカセットメモリにイン点の絶対トラック番号に対応してカットのイン点及びアウト点のタイムカードの文字列をタイトルと同様に記憶保存したので、このビデオテープのカットのイン点をサーチすることができると共に通常再生時でも、このイン点を通過するときには、このイン点及びアウト点のタイムコードの文字列が自動的に動画に所定時間スーパーインポーズされて表示され、このイン点及びアウト点を良好に知ることができる。
【００７０】
また本発明は、ビデオテープカセットのカセットメモリにカットのイン点及びアウト点を電子データとして記憶するので、このイン点及びアウト点のメモをなくすことがないと共にこのイン点及びアウト点の電子データをノンリニア編集やリニア編集のためのＥＤＬ（エディットデシジョンリスト）形式に変換でき、編集のデータとして使用でき効率の良い編集ができる。
【図面の簡単な説明】
【図１】本発明ビデオテープカセットのビデオテープの編集点記憶方法の実施の形態の例の説明に供するフローチャートである。
【図２】本発明の説明に供する線図である。
【図３】本発明に用いられるビデオテープレコーダの例を示す構成図である。
【図４】本発明の説明に供する線図である。
【図５】本発明の説明に供する線図である。
【図６】本発明の説明に供する線図である。
【図７】ノンリニア編集の手順の例を示す線図である。
【図８】ノンリニア編集の構成例を示す構成図である。
【図９】ノンリニア編集の例の説明に供する線図である。
【図１０】リニア編集の手順の例を示す線図である。
【図１１】リニア編集の例の説明に供する構成図である。
【図１２】リニア編集の例の説明に供する線図である。
【図１３】リニア編集の構成例を示す構成図である。
【図１４】サムネールの例の説明に供する線図である。
【図１５】ビデオテープカセットの例を示す斜視図である。
【符号の説明】
１‥‥ビデオテープカセット、２‥‥カセットメモリ、１０‥‥映像信号入力端子、１２‥‥映像信号圧縮符号化・復号化部、１３‥‥エラー訂正処理部、１４‥‥チャネルコーティング部、１５‥‥ビデオヘッド、１６‥‥ビデオテープ、１８‥‥ディスプレイ装置、２０‥‥機構部、２１‥‥操作部、２１ａ‥‥マークボタン、２３‥‥コントローラ
【図１】
2004193672.tif 000003
【図２】
2004193672.tif 000004
【図３】
2004193672.tif 000005
【図４】
2004193672.tif 000006
【図５】
2004193672.tif 000007
【図６】
2004193672.tif 000008
【図７】
2004193672.tif 000009
【図８】
2004193672.tif 000010
【図９】
2004193672.tif 000011
【図１０】
2004193672.tif 000012
【図１１】
2004193672.tif 000013
【図１２】
2004193672.tif 000014
【図１３】
2004193672.tif 000015
【図１４】
2004193672.tif 000016
【図１５】
2004193672.tif 000017